(57)【要約】  【課題】  商品のサイズ確認を容易にかつ手間をかけることなく行うことができるとともに、埃やごみ等の堆積により見栄えが悪くなるのを防止することができる商品包装体を提供すること。  【解決手段】  商品５を収容する収容部６と、前記商品５が嵌合するように構成されたサイズ確認部１０とを備え、前記サイズ確認部１０を、複数の突起部９により構成してある。  【選択図】  図１３
2006069638.tif 000002
【特許請求の範囲】
【請求項１】
商品を収容する収容部と、前記商品が嵌合するように構成されたサイズ確認部とを備え、前記サイズ確認部を、複数の突起部により構成してあることを特徴とする商品包装体。
【請求項２】
前記商品がゴム栓である請求項１に記載の商品包装体。
【請求項３】
台紙と、この台紙の前面側に固定される樹脂フィルム体とを備え、前記台紙と、前記樹脂フィルム体に設けられた前方に膨出する膨出部分とで前記収容部が構成され、また、前記突起部が、樹脂フィルム体の一部を前方に突出させた状態とすることで形成されている請求項１または２に記載の商品包装体。
【請求項４】
前記突起部が、サイズ確認対象のゴム栓に当接する内側壁と、この内側壁の外側に設けられた外側壁とを有し、前記内側壁の内側面が前記ゴム栓の外面に沿うテーパ面になっているとともに、前記外側壁が樹脂フィルム体の台紙と平行な部分から前方に向かって延び、かつ前記平行な部分と９０度以上の角度をなすように構成されている請求項３に記載の商品包装体。
【発明の詳細な説明】
【技術分野】
【０００１】
この発明は、例えばゴム栓等の商品を販売するために用いられ、商品のサイズを確認することができる商品包装体に関する。
【背景技術】
【０００２】
例えば、流し台の排水口に用いられるゴム栓等の商品を買い換える場合、サイズが同じ商品を選択して購入する必要がある。そして、このような商品を包装する従来の商品包装体として、特許文献１に記載されているように、商品を収容する収容部と、前記商品が嵌入するように設けられたテスターとを備えたものがある。すなわち、上記のように構成された商品包装体では、買い換え対象とする商品を持参してテスターに嵌入することにより商品のサイズを確認することができ、また、商品のサイズ確認を行う上で、テスターが商品包装体と別に設けられている場合に比べて便利となる。
【特許文献１】特開２００２−１１４２６９（図１、図２）
【発明の開示】
【発明が解決しようとする課題】
【０００３】
しかし、上記従来の商品包装体では、テスターが有底テーパ孔（椀状）であったので、以下のような問題があった。すなわち、サイズ確認のために前記テーパ孔に嵌入した商品がテーパ孔から僅かにしか前方に露出せず持ちにくい場合、商品をテーパ孔から取り出す作業が非常に困難になり、前記サイズ確認に手間がかかるおそれがあった。また、商品包装体の展示中に前記テーパ孔内に埃やごみ等が堆積して見栄えが悪くなり易いという問題もあった。
【０００４】
この発明は上述の事柄に留意してなされたもので、その目的は、商品のサイズ確認を容易にかつ手間をかけることなく行うことができるとともに、埃やごみ等の堆積により見栄えが悪くなるのを防止することができる商品包装体を提供することである。
【課題を解決するための手段】
【０００５】
上記目的を達成するために、この発明の商品包装体は、商品を収容する収容部と、前記商品が嵌合するように構成されたサイズ確認部とを備え、前記サイズ確認部を、複数の突起部により構成してあることを特徴としている（請求項１）。
【０００６】
具体的には、前記商品はゴム栓である（請求項２）。
【０００７】
より具体的には、前記商品包装体は、台紙と、この台紙の前面側に固定される樹脂フィルム体とを備え、前記台紙と、前記樹脂フィルム体に設けられた前方に膨出する膨出部分とで前記収容部が構成され、また、前記突起部が、樹脂フィルム体の一部を前方に突出させた状態とすることで形成されている（請求項３）。
【０００８】
また、前記突起部が、サイズ確認対象のゴム栓に当接する内側壁と、この内側壁の外側に設けられた外側壁とを有し、前記内側壁の内側面が前記ゴム栓の外面に沿うテーパ面になっているとともに、前記外側壁が樹脂フィルム体の台紙と平行な部分から前方に向かって延び、かつ前記平行な部分と９０度以上の角度をなすように構成されていることが好ましい（請求項４）。
【発明の効果】
【０００９】
請求項１および２に係る発明では、サイズ確認部を複数の突起部により構成しているので、サイズ確認のために前記サイズ確認部に嵌入した商品がテーパ孔から僅かにしか前方に露出しなくても、突起部間の隙間に指等を通すことで商品を持つことができるので、商品をサイズ確認部から容易に取り出すことができる。すなわち、商品のサイズ確認（サイズ確認部への商品の嵌入操作およびサイズ確認部からの取り外し操作）を容易にかつ手間をかけることなく行うことができる。
【００１０】
また、サイズ確認部を複数の突起部により構成しているので、従来の商品包装体のようにサイズ確認部がテーパ孔（椀状）である場合に比べて、サイズ確認部に埃やごみ等が堆積したりサイズ確認部が汚れたりしにくく、従って、それだけ商品包装体の見栄えが悪くなるのを防止することができる。
【００１１】
請求項３および４に係る発明では、上記効果に加えて、樹脂フィルム体を、低コストで行える真空成形または圧空成形によって成形することができ、しかも、型から抜き易い形状となっているので、非常に容易に成形することができるという効果を奏する商品包装体が得られる。
【発明を実施するための最良の形態】
【００１２】
図１〜図１３は、この発明の一実施の形態に係る商品包装体１を示す。なお、図１〜図１０では、前記商品包装体１の特徴的な部分（後述する）のみを実線で示し、他の部分は破線で示している。
【００１３】
図１〜図１３に示すように、前記商品包装体１は、正面視ほぼ矩形状の台紙２と、この台紙２の前面側に固定される透明または半透明の樹脂フィルム体３とを備えている。ここで、前記樹脂フィルム体３の上端および下端は折り返されており、各折り返し部分３ａ，３ｂが台紙２の上端部および下端部に適宜の手段（例えば、図１１〜図１３に示すステイプルＳ）および／または折り返し部分３ａ，３ｂ自体の保形力を用いて取り付けられている。
【００１４】
そして、図１１〜図１３に示すように、前記台紙２と、前記樹脂フィルム体３の上部に設けられた前方に膨出する膨出部分４とで、商品としてのゴム栓５を収容する収容部６が構成されている。前記ゴム栓５は、流し台や浴槽等の排水口に用いられるものであり、縦断面がほぼ円形状で、側面が一方側に向かって細くなるテーパ状に形成されている。
【００１５】
また、図１、図２、図７、図８、図１０〜図１３において、７は台紙２および樹脂フィルム体３を貫通する貫通穴であり、図１１および図１３に示すように、展示位置に設けられた吊り下げ用棒状体８に挿通され、これにより、商品包装体１が前記棒状体８に吊り下げられた状態で展示される。
【００１６】
ここまでの構成は従来の商品包装体の構成と何ら変わらない。そして、前記商品包装体１は、前記樹脂フィルム体３の一部を前方に突出させた状態とすることで複数（この実施の形態では三つ）の突起部９を形成し、これらの突起部９により、前記ゴム栓５が嵌合する（ゴム栓５の外周面が隙間無く当接する）サイズ確認部１０を構成してある点に特徴を有している。
【００１７】
前記突起部９は、図１、図７、図１１および図１３に示すように、ほぼ円弧状をしており、隣り合う突起部９との間に指１本分程度の隙間があくように同一円周上に配置されている。また、各突起部９は、サイズ確認対象のゴム栓１１に当接する内側壁１２と、この内側壁１２の外側に設けられた外側壁１３とを有している。そして、前記内側壁１２の内側面が前記ゴム栓１１の外面に沿うテーパ面の一部になっているとともに、前記外側壁１３が樹脂フィルム体３の台紙２と平行な部分（樹脂フィルム体３の折り返し部分３ａ，３ｂ、膨出部分４を除いた部分）１４から前方に向かって延び、かつ前記平行な部分１４と９０度以上の角度をなすように構成されている。
【００１８】
なお、この発明は、上記の実施の形態に限られず、種々に変形して実施することができる。具体的には、上記実施の形態において、三つの突起部９によってサイズ確認部１０を構成しているが、二つあるいは四つ以上の突起部９によってサイズ確認部１０を構成してもよい。
【００１９】
また、上記実施の形態では、前記サイズ確認部１０を樹脂フィルム体３における膨出部分４の下方に設けているが、例えば、膨出部分４の上方あるいは側方など膨出部分４の周囲にサイズ確認部１０を設けてもよいし、図１４に示すように、膨出部分４の前方にサイズ確認部１０を設けてもよい。
【図面の簡単な説明】
【００２０】
【図１】この発明の一実施の形態に係る商品包装体の構成を概略的に示す正面図である。
【図２】前記商品包装体の構成を概略的に示す背面図である。
【図３】前記商品包装体の構成を概略的に示す左側面図である。
【図４】前記商品包装体の構成を概略的に示す右側面図である。
【図５】前記商品包装体の構成を概略的に示す平面図である。
【図６】前記商品包装体の構成を概略的に示す底面図である。
【図７】前記商品包装体の構成を概略的に示す斜視図である。
【図８】図１のＡ−Ａ断面図である。
【図９】図１のＢ−Ｂ断面図である。
【図１０】前記商品包装体の要部の透明部分を概略的に示す縦断面図である。
【図１１】前記商品包装体の使用状態の構成を概略的に示す斜視図である。
【図１２】前記商品包装体の使用状態の構成を概略的に示す縦断面図である。
【図１３】前記商品包装体の使用方法を概略的に示す説明図である。
【図１４】前記商品包装体の変形例の構成を概略的に示す説明図である。
【符号の説明】
【００２１】
５  商品
６  収容部
９  突起部
１０  サイズ確認部
【図１】
2006069638.tif 000003
【図２】
2006069638.tif 000004
【図３】
2006069638.tif 000005
【図４】
2006069638.tif 000006
【図５】
2006069638.tif 000007
【図６】
2006069638.tif 000008
【図７】
2006069638.tif 000009
【図８】
2006069638.tif 000010
【図９】
2006069638.tif 000011
【図１０】
2006069638.tif 000012
【図１１】
2006069638.tif 000013
【図１２】
2006069638.tif 000014
【図１３】
2006069638.tif 000015
【図１４】
2006069638.tif 000016